(57)【特許請求の範囲】
【請求項１】
金属板の４辺のうち、一方の相対向する２辺より第１の側面リブを下方に折り曲げて、該第１の側面リブの長手方向両端部の内側部分に、当該一方の相対向する２辺を支持する支持脚を形成したアクセスフロア用床板において、
前記一方の相対向する２辺と他方の相対向する２辺とのいずれかに平行に、前記金属板の折り返し加工によって１又は複数本の中間リブを形成し、該中間リブの長手方向両端に、該中間リブを支持する中間リブ支持脚を、前記金属板の該中間リブ直下位置への折り曲げ加工によって形成したことを特徴とする、アクセスフロア用床板。
【請求項２】
前記中間リブの長手方向一端を支持する前記中間リブ支持脚は、中間リブによって仕切られる両側のうちの一側に形成した、辺の中間部分を支持する辺中間支持脚より折り曲げ加工によって形成し、中間リブの長手方向他端を支持する中間リブ支持脚は、中間リブによって仕切られる両側のうちの他側に形成した、辺の中間部分を支持する辺中間支持脚より折り曲げ加工によって形成した、請求項１記載のアクセスフロア用床板。
【請求項３】
前記中間リブを２本設け、両中間リブによって挟まれた部分の長手方向両側のうちの少なくとも一方の外面を、他の部分の外面よりも内方に後退させた、請求項１又は２記載のアクセスフロア用床板。
【請求項４】
シート状に形成され、１又は複数個のアクセスフロア用床板の支持脚を位置決め可能とする支持脚用突出部を有し、且つ、前後左右の端部にシート用突出部を有し、前後の一方のシート用突出部を前後の他方のシート用突出部内に嵌入可能に形成し、左右の一方のシート用突出部を左右の他方のシート用突出部内に嵌入可能に形成して、縦横に隣接するシートの相互間で位置決め可能に形成した、アクセスフロア用床シートであって、前記支持脚用突出部とシート用突出部を、該突出部の突出端部に向かって小径に形成して、当該アクセスフロア用床シートを積み重ね可能に形成したアクセスフロア用床シート。
【請求項５】
前記シート用突出部のうち、前記前後の他方のシート用突出部と左右の他方のシート用突出部とは、前記支持脚用突出部を兼ねるものである、請求項４記載のアクセスフロア用床シート。
【請求項６】
前記床板の平面形状外接部分に対応する部分を、実質的にフラットに形成した、請求項４又は５記載のアクセスフロア用床シート。
【請求項７】
薄肉の樹脂フィルムを真空成形することによって形成した請求項４、５又は６記載のアクセスフロア用床シート。
【請求項８】
請求項１、２又は３記載のアクセスフロア用床板と、請求項４、５、６又は７記載のアクセスフロア用床シートとを有するアクセスフロア。
【発明の詳細な説明】
【０００１】
【産業上の利用分野】
この発明は、床スラブ上に載置されて床スラブとの間に間隙を設けるようにして敷き詰めるアクセスフロアに関する。
【０００２】
【従来の技術】
近代的なオフィスでは、電源ケーブルや通信ケーブルなどを自在に引き回すことができるように、床スラブ上にアクセスフロアを敷き詰めて２重床構造としている。このアクセスフロア用の床板としては、実開平６−２８０７７号公報に開示されたものがあり、これは、金属板の４辺のうち、一方の相対向する２辺より第１の側面リブを下方に折り曲げて、該第１の側面リブの長手方向両端部の内側部分に、当該一方の相対向する２辺を支持する支持脚を形成し、第１の側面リブの長手方向両端部の外側部分を内方に折り曲げて、他方の相対向する２辺を支持する支持脚を形成し、他方の相対向する２辺より、該２辺を支持する前記支持脚の外側を覆うように、第２の側面リブを下方に折り曲げ、第１の側面リブの長手方向両端部を除く中間部の下端と、第２の側面リブの下端とに、折り返しリブあるいは折り曲げリブを設けたアクセスフロア用床板である。
【０００３】
またアクセスフロア用の床板は床スラブ上に直接配置されることもあるが、床板の位置決めを容易とするために床スラブ上に先ず床シートを敷き詰め、この床シート上に床板を載置することもある。このような床シートとしては従来より、例えば特開平３−１２９０５８号公報に開示されたものがあり、これは、長尺帯板状のシートの表面に、隣接する４個の床板の支持脚のうち、１カ所に集中する４本の支持脚を嵌入するための筒部を突設した床シートである。
【０００４】
【発明が解決しようとする課題】
上記実開平６−２８０７７号公報に開示されたアクセスフロア用床板では、側面リブが折り返しリブあるいは折り曲げリブによって補強されているものの、金属板の平面形状中央部分には何らの補強もなされていない。したがって同公報に記載されているように、１辺の長さが１６．５ｃｍ程度の床板しか作ることができないから、材料費と製作費が割高となり、大きなコンセントボックスを収納することができず、またこの床板を床スラブ上に敷き詰めるときには、多数の工数を要するという問題点がある。
【０００５】
また上記従来のアクセスフロア用床シートは長尺帯板状に形成されており、したがって長手方向には一体に形成されているものの、幅方向にはシート間での位置決めの手段がない。すなわち幅方向に若干ずれてシートを敷き詰めてしまうおそれがあり、このときにはこのシートの上に床板を敷き詰めることができないから、再度シートを敷き直す必要を生じ、作業性を著しく損なうおそれがある。また長尺帯板状に形成されているから、ロール状に巻いて搬送せざるを得ないが、シート表面に突設した筒部が邪魔になって著しくかさばるという問題点がある。またロールを解いて使用するときには、ロール時の形状を保とうとするから、端部が丸まってめくれ上がり、作業性を損なうという問題点もある。更にアクセスフロアのボーダー部では、このシートを切断して使用することになるが、上記従来の床シートでは必然的に筒部の直径を通る方向に切断することになり、切断作業を行いにくいという問題点もある。
【０００６】
したがって本発明は、中央部分の強度が十分に高く、したがって１辺の長さを十分に長くすることができ、この結果、材料費と製作費が割安となり、大きなコンセントボックスを収納することができ、また床スラブ上への敷き詰め作業の工数を軽減することができるアクセスフロア用床板を提供することを目的とする。本発明はまた、床シート相互間で縦横に位置決めすることができ、ボーダー部での使用に際して容易に切断することができ、端部がめくれ上がらず、搬送時にかさばらないアクセスフロア用床シートを提供することを目的とする。本発明はまた、位置決めの容易なアクセスフロアを提供することを目的とする。
【０００７】
【課題を解決するための手段】
本発明は上記目的を達成するためになされたものであり、すなわち、金属板の４辺のうち、一方の相対向する２辺より第１の側面リブを下方に折り曲げて、該第１の側面リブの長手方向両端部の内側部分に、当該一方の相対向する２辺を支持する支持脚を形成したアクセスフロア用床板において、一方の相対向する２辺と他方の相対向する２辺とのいずれかに平行に、折り返し加工によって１又は複数本の中間リブを形成し、該中間リブの長手方向両端に、該中間リブを支持する中間リブ支持脚を折り曲げ加工によって形成したことを特徴とする、アクセスフロア用床板である。
【０００８】
本発明はまた、シート状に形成され、１又は複数個の当該アクセスフロア用床板の支持脚を位置決め可能とする支持脚用突出部を有し、且つ、前後左右の端部にシート用突出部を有し、前後の一方のシート用突出部を前後の他方のシート用突出部内に嵌入可能に形成し、左右の一方のシート用突出部を左右の他方のシート用突出部内に嵌入可能に形成して、縦横に隣接するシートの相互間で位置決め可能に形成したアクセスフロア用床シートである。
本発明はまた、上記アクセスフロア用床板と、上記アクセスフロア用床シートとを有するアクセスフロアである。
【０００９】
【実施例】
本発明を図面によって説明する。図１〜９は本発明によるアクセスフロア用床板の一実施例を示す。この床板２０は図８の展開図に示す１枚の鋼板２５に折り曲げ加工を施すことによって製造されており、鋼板２５の中央部１と前部２との間、及び中央部１と後部３との間には、平板材を滑り込ませる折り返し加工によって、それぞれ前部中間リブ４と、後部中間リブ５とが形成されている。中央部１の中央部分には、中間リブ４，５と直交する方向に、表面より絞りを加えた複数条の凹絞り６が形成されている。前部２の手前側部分と後部３の奥側部分とは、山折りされて前後面リブ７が形成されており、この前後面リブ７の左右方向中間部は更に山折りされて、前後面リブ折曲げ部７ａとなっている。他方、前後面リブ７の左右方向両端部の内側部分は、前辺と後辺とをそれぞれ支持する前後辺支持脚８となっており左右方向両端部の外側部分は、更に山折りされて、左辺と右辺とのコーナー部をそれぞれ支持する左右辺コーナー支持脚９が形成されている。
【００１０】
前部２と後部３との左右側部分は、左右辺コーナー支持脚９の外側を覆うように山折りされて、前後部左面リブ１０と、前後部右面リブ１１が形成されている。後者、すなわち前後部右面リブ１１には、その中央部１側の部分に、右辺の中間部分を支持する右辺中間支持脚１２が形成されている。この右辺中間支持脚１２の中央部１側の部分は、更に山折りされて中間リブ４，５に沿うように内方に伸び、その後谷折りされており、この谷折りされた部分が、中間リブ４，５の右端部を支持する中間リブ右端支持脚１３となっている。
【００１１】
中央部１の図面左側部分は山折りされて、中央部左面リブ１４が形成されており、この中央部左面リブ１４の前後方向中間部は、更に山折りされて、中央部左面リブ折曲げ部１４ａとなっている。他方、中央部左面リブ１４の前後方向両端部は、左辺の中間部分を支持する左辺中間支持脚１５となっている。この左辺中間支持脚１５の前後部２，３側の部分は、更に山折りされて中間リブ４，５に沿うように内方に伸び、その後谷折りされており、この谷折りされた部分が、中間リブ４，５の左端部を支持する中間リブ左端支持脚１６となっている。
他方、中央部１の図面右側部分は山折りされて、中央部右面リブ１７が形成されており、この中央部右面リブ１７は更に山折りされて、中央部右面リブ折曲げ部１７ａとなっている。この中央部右面リブ１７は、前後部右面リブ１１よりも若干内方に後退した位置に形成されており、またこの中央部右面リブ１７には、裏面より絞りを加えた一対の凸絞り１８が形成されている。
【００１２】
本実施例は以上のように形成されており、すなわちこのアクセスフロア用床板２０は１枚の鋼板２５を折り曲げ加工することによって形成されているから、安価に製造することができる。またこの床板２０は前部中間リブ４と後部中間リブ５とを有し、両中間リブ４，５は中間リブ右端支持脚１３と中間リブ左端支持脚１６によって支持されているから、中央部分の強度が十分に高い。したがってこの床板２０の１辺の長さを十分に長くすることができ、この結果、材料費と製作費が割安となり、大きなコンセントボックスを収納することができ、また床スラブ上への敷き詰め作業の工数を軽減することができる。
また本実施例では、両中間リブ４，５の右端部を支持する中間リブ右端支持脚１３は、前部２と後部３との右側部分より折り曲げ加工によって形成されており、両中間リブ４，５の左端部を支持する中間リブ左端支持脚１６は、中央部の左側部分より折り曲げ加工によって形成されている。したがって鋼材より鋼板２５を切り出すときに、図９に示すように各鋼板２５が入れ子状に嵌合しあうから、スクラップ材の発生が最小限に抑制される。
【００１３】
更に本実施例では、両中間リブ４，５によって挟まれた中央部右面リブ１７は、前後部右面リブ１１よりも若干内方に後退した位置に形成されている。したがってこの床板２０を床スラブ上に縦横に敷き詰めたときに、中央部右面リブ１７の位置よりケーブルを引き出すことができる。その際、太径のケーブルを引き出すときには、隣接する床板２０，２０の中央部右面リブ１７，１７どうしを向かい合うように配置すればよい。また中央部右面リブ１７には一対の凸絞り１８が形成されているから、各種のケーブルが引き出すことができると同時に、ハイヒールなどによる足の踏みはずしを招くおそれがない。
【００１４】
次に図１０及び図１１は本発明によるアクセスフロア用床シートの第１実施例を示す。上記床板２０は床スラブ上に直接縦横に配置することもできるが、床スラブ上に先ず床シートを敷き詰め、その床シート上に配置することもできる。図１０は後者の場合の床シートの一実施例を示し、この床シート３０は全体としてシート状に形成されており、図面点線で区切ったように、前後方向に３区画、左右方向に２区画の都合６個の区画Ａ〜Ｆのそれぞれに、都合６枚の床板２０を敷き詰める大きさに形成されている。但し床シート３０の実際の大きさは、縦横に隣接する床シート３０自体のオーバーラップを図るために、６枚の床板２０の大きさよりも前後方向にも左右方向にも若干広く形成されている。
床シート３０には、この６枚の床板の支持脚２１を位置決め可能とする支持脚用突出部３１が突設されており、また周辺部には、床シート３０自体を相互にオーバーラップさせた後に、位置決め可能とするシート用突出部３２が突設されている。但し本実施例では、床シート３０の位置決め専用のシート用突出部３２は、図面下端部と右端部とに形成されており、図面上端部と左端部のシート用突出部は、支持脚用突出部とシート用突出部とを兼用した兼用突出部３３となっている。
【００１５】
各区画Ａ〜Ｆ内には４個の支持脚用突出部３１または兼用突出部３３があり、これら４個の突出部３１，３３の外面は、それぞれ床板の各支持脚２１の内面側の位置を規制するように形成されており、こうして各床板２０が前後方向にも左右方向にも移動不能となるように形成されている。すなわち隣接する４枚の床板のコーナー部には４本の支持脚が集中するが、本実施例の支持脚用突出部３１または兼用突出部３３は、一個の突出部によってこれら４本の支持脚２１の位置決めをしてはおらず、個々の突出部３１，３３によって、個々の支持脚２１の内面側の位置を規制するように位置決めしている。したがって図面点線で示した床板の平面形状外接部分に対応する部分には、何らの突出部も形成されておらず、フラットに形成されている。
他方、各支持脚用突出部３１または各兼用突出部３３は、支持脚２１よりも長めに形成されており、したがって配線（図示せず）は支持脚２１には当接することがなく、こうして各支持脚用突出部３１または各兼用突出部３３の内面によって、配線をガードするように形成されている。
【００１６】
また図面下端部のシート用突出部３２の外面は、図面上端部の兼用突出部３３の内面の中に嵌入して、床シート３０相互間で前後方向に移動不能となるようにフィットしている。同様に図面右端部のシート用突出部３２の外面は、図面左端部の兼用突出部３３の内面の中に嵌入して、床シート３０相互間で左右方向に移動不能となるようにフィットしている。
更に各突出部３１，３２，３３は、それぞれの外面がそれぞれの内面内に嵌入可能となるように、突出端部に向かって小径に形成されている。床シート３０のこれらの形状は、薄肉の樹脂フィルムを真空成形することによって形成されている。
【００１７】
なお本実施例で敷き詰めようとする床板２０は平面形状正方形に形成されており、したがって各区画Ａ〜Ｆも正方形に形成されているが、更に床板２０は既述のように中間リブ２２を有し、したがって支持脚２１が前後左右に対称ではなく、前後方向での支持脚２１の配置と、左右方向での支持脚２１の配置とが異なっている。したがってある床板２０については例えば中間リブ２２を前後方向にして床板２０を配置し、別の床板２０については中間リブ２２を左右方向にして配置しようとするときには、床シート３０も、そのような床板２０の配置を受け入れるように形成しておく必要がある。本実施例はそのような場合を示しており、すなわち区画Ａ〜Ｄでは中間リブ２２を前後方向にして床板２０を配置し、区画Ｅ，Ｆでは中間リブ２２を左右方向にして床板２０を配置する場合を示している。したがって区画Ａ〜Ｄと区画Ｅ，Ｆとでは、支持脚用突出部３１または兼用突出部３３の配置が９０°変更されている。
【００１８】
本実施例は以上のように形成されており、すなわちこの床シート３０は前後左右に隣接する床シート３０とオーバーラップした後に、相互に前後方向にも左右方向にも位置規制されるから、床シート３０相互間での位置決めを図ることができ、したがってこの上に載置する床板２０を、支障なく敷き詰めることができる。なお床板２０を敷き詰めるに際しては、図１１に示すように本床シート３０と支持脚２１の下端面との間に、緩衝材２８を介して敷き詰めることが好ましい。また本実施例では、床板２０の平面形状外接部分に対応する部分はフラットに９形成されているから、ボーダー部での使用に際して行う切断の切断線は、このフラットの部分だけを横切ることになり、したがって容易にボーダー部用の床シートを得ることができる。更に各突出部３１，３２，３３は、それぞれの外面がそれぞれの内面内に嵌入可能となるように形成されているから、この床シート３０はかさばることなく積み重ねることができ、したがって搬送が容易となり、しかもシート形状のままで搬送することができるから、端部が丸まってめくり上がることがない。
なお本実施例では、支持脚２１の位置決めを図る突出部の一部は、兼用突出部３３としているが、兼用突出部３３を用いることなく、支持脚用突出部３１とシート用突出部３２だけを用いることもできる。但し本実施例のように兼用突出部３３を用いる方が、突出部の個数を減らせるからより好ましい。
【００１９】
次に図１２はアクセスフロア用床シートの第２実施例を示す。既述のように上記第１実施例では、区画Ａ〜Ｄでは中間リブ２２を前後方向にして床板２０を配置し、区画Ｅ，Ｆでは中間リブ２２を左右方向にして床板２０を配置する場合を示したが、各区画Ａ〜Ｆに前後方向あるいは左右方向の方向性があることを、作業者が見誤るおそれがある。そこでこの第２実施例では、作業者に床板２０の配置方向を教えるための１／２方向マーク３４を設けたものである。１／２方向マーク３４は、前後方向と左右方向さえ間違わなければ前後反転あるいは左右反転して床板２０を敷いても構わないという場合に用いるマークである。これに対して、床板２０に前後左右の方向性があるときには、１／４方向マーク３５を用いることが好ましい。１／４方向マーク３５は、前後方向と左右方向とを間違えてはならないほか、前方向と後ろ方向、あるいは右方向と左方向との間でも間違えてはならない場合に用いるマークである。これらのマーク３４，３５も真空成形によって形成されているが、その突出高さはごく僅かであり、したがって床板２０の平面形状外接部分に対応する部分は、なおも実質的にフラットに形成されている。
またこの第２実施例では、床シート３０の四隅に丸穴を開口できる接着穴形成部３６を有し、必要によりこの接着穴形成部３６を除去して、その開口部より床シート３０と床スラブとを接着する接着剤を流し込めるように構成されている。
【００２０】
【発明の効果】
本発明によれば、中央部分の強度が十分に高く、したがって１辺の長さを十分に長くすることができ、この結果、材料費と製作費が割安となり、大きなコンセントボックスを収納することができ、また床スラブ上への敷き詰め作業の工数を軽減することができるアクセスフロア用床板が得られる。また本発明によれば、床シート相互間で縦横に位置決めすることができ、ボーダー部での使用に際して容易に切断することができ、端部がめくれ上がらず、搬送時にかさばらないアクセスフロア用床シートが得られる。更に本発明によれば、位置決めの容易なアクセスフロアが得られる。
【図面の簡単な説明】
【図１】本発明によるアクセスフロア用床板の一実施例を示す平面図
【図２】同じく正面図
【図３】同じく右側面図
【図４】同じく左側面図
【図５】同じく底面図
【図６】図６中Ａ−Ａ線矢視断面図
【図７】同じくＢ−Ｂ線矢視断面図
【図８】折り曲げ加工前を示す平面図
【図９】鋼板の切り出し前を示す平面図
【図１０】本発明によるアクセスフロア用床シートの第１実施例を示す平面図
【図１１】図１０中Ｘ−Ｘ線矢視断面図
【図１２】本発明によるアクセスフロア用床シートの第２実施例を示す平面図
【符号の説明】
１…中央部                      ２…前部
３…後部                        ４…前部中間リブ
５…後部中間リブ                ６…凹絞り
７…前後面リブ                  ７ａ…前後面リブ折曲げ部
８…前後辺支持脚                ９…左右辺コーナー支持脚
１０…前後部左面リブ            １１…前後部右面リブ
１２…右辺中間支持脚            １３…中間リブ右端支持脚
１４…中央部左面リブ            １４ａ…中央部左面リブ折曲げ部
１５…左辺中間支持脚            １６…中間リブ左端支持脚
１７…中央部右面リブ            １７ａ…中央部右面リブ折曲げ部
１８…凸絞り                    ２０…床板
２１…支持脚                    ２２…中間リブ
２５…鋼板                      ２８…緩衝材
３０…床シート                  ３１…支持脚用突出部
３２…シート用突出部            ３３…兼用突出部
３４…１／２方向マーク          ３５…１／４方向マーク
３６…接着穴形成部              Ａ〜Ｆ…区画
【図１】
0003617016.tif 000002
【図２】
0003617016.tif 000003
【図３】
0003617016.tif 000004
【図４】
0003617016.tif 000005
【図５】
0003617016.tif 000006
【図６】
0003617016.tif 000007
【図７】
0003617016.tif 000008
【図８】
0003617016.tif 000009
【図９】
0003617016.tif 000010
【図１０】
0003617016.tif 000011
【図１１】
0003617016.tif 000012
【図１２】
0003617016.tif 000013